(57)【要約】【課題】本発明は、病人や高齢者などに多くみられる薬の誤飲や飲み忘れを簡単に防ぐものである。【解決手段】表面Ａの右側に搭載されているｏｎ／ｏｆｆの切替ができる３、４、５のスイッチは、朝、昼、夜を指しており、それぞれ食後の薬を摂取した際にスイッチを入れる。このように、スイッチを上下にｏｎ／ｏｆｆ切り替えすることで摂取したか摂取していないかを本人以外の人も視覚で確認が可能となる。高齢者の方にはデジタル機器での操作は難しいため、このようにアナログな操作でのサポートが有効とされるのである。【選択図】図１
2015097776.tif 000002
【特許請求の範囲】
【請求項１】
表面Ａの１の右側に搭載されている３つのスイッチ３、４、５は、朝、昼、夜をそれぞれ指しており、上下に上げ下げ（ｏｎ／ｏｆｆ切替）することで薬を飲んだ、飲んでないかを視覚で確認することができるものである。裏面Ｂの２に接着している７のクリップは薬の袋を数枚束ねることが可能となっており、複数の薬の管理（誤飲防止、飲み忘れ防止等）も可能とする。
【請求項２】
クリップなどの留め具を搭載しない卓上型の請求項１記載の誤飲、飲み忘れ防止用品。
【請求項３】
マグネットを搭載した請求１の誤飲、飲み忘れ防止用品。
【請求項４】
報知手段を搭載した請求項１の誤飲、飲み忘れ防止用品。
※報知手段とはランプやブザー音のことである。
【請求項５】
音で知らせてくれる機能を搭載した請求項１の誤飲、飲み忘れ防止用品。
【請求項６】
パーツのデザインや大きさが異なる請求項１の誤飲、飲み忘れ防止用品。
【請求項７】
バンドやベルトのようなクリップ以外の留め具を使用した請求項１の誤飲、飲み忘れ防止用品。
【請求項８】
点字を使用した請求項１の誤飲、飲み忘れ防止用品。
【発明の詳細な説明】
【技術分野】
【０００１】本発明は、薬の袋に挟むなどして装着し、朝、昼、夜の食後の薬を摂取した際にスイッチを入れることで摂取したことを視覚で確認が可能となり、飲み忘れ、誤飲を防ぐことができるものである。
※ブザーを搭載した場合は聴覚で、点字を使った場合は触覚での確認も可能。
【背景技術】
【０００２】従来の飲み忘れ、誤飲防止用品では、病院内で他者の力を借りることで有効に機能するものや、薬を１つずつ分けてケースに入れるといった病人や高齢者には手間がかかり、個人では防ぐことが容易ではなかった。
【先行技術文献】
【特許文献】
【０００３】
【特許文献１】特開２００８−２１７７４３号公報
【特許文献２】特開２００９−２０８８３１号公報
【特許文献３】再表２００６／００１３９０号公報
【発明の概要】
【発明が解決しようとする課題】
【０００４】病人や高齢者の患者さんの薬の飲み忘れ、誤飲が多く、それを防ぐ従来の製品では手間がかかり、個人では防ぐことが容易ではなかった。
【課題を解決するための手段】
【０００５】図１の表面Ａの３つのスイッチ３、４、５を上下に上げ下げ（ｏｎ／ｏｆｆ切替）するだけで簡単に１日の飲み忘れ、誤飲を確認することができる。一日の終わり、または翌日の朝にスイッチ３、４、５をすべて戻す。
【発明の効果】
【０００６】図１の表面Ａの３つのスイッチ３、４、５を上下に上げ下げ（ｏｎ／ｏｆｆ切替）するだけで簡単に１日の飲み忘れ、誤飲を確認することができるので飲み忘れ、誤飲がなくなった。また、裏面にマグネットを搭載することで冷蔵庫などの目のつきやすい場所にも貼ることができ、ブザー音やランプのような報知手段によるお知らせ機能を搭載することで、より防止効果は上がる。点字を使用した場合には視覚障害者の方にも有効である。
【図面の簡単な説明】
【０００７】
【図１】本発明の表と裏の平面図である。
【図２】本発明の側面方向からの断面図である。
【発明を実施するための形態】
【０００８】図１では表と裏面の大まかな構造を説明する。表面Ａの１の右側に搭載されている３つのスイッチ３、４、５はそれぞれ朝、昼、夜、を指しており、上下に上げ下げ（ｏｎ／ｏｆｆ切替）することで薬を飲んだか、飲んでいないかを確認できるものとなっている。裏面Ｂの２に接着している７のクリップは薬の袋を数枚束ねてまとめることが可能となっており、複数の薬の管理が可能となる。また、裏面にマグネットを搭載することで冷蔵庫など目のつきやすい場所にも貼ることもでき、ブザー音やランプのような報知手段によるお知らせ機能を搭載することで、より防止効果は上がる。点字を使用した場合には視覚障害者の方にも有効である。
※クリップ以外のベルトやバンドのような留め具での代用も可能とする。
【実施例】
【０００９】表面Ａの右側に搭載されている３つのスイッチ（ｏｎ／ｏｆｆ切替）は、朝昼夜を指しており、上下に上げ下げ（ｏｎ／ｏｆｆ切替）することで薬を飲んだ、飲んでないかを視覚で確認することができるものである。裏面Ｂの２に接着している７のクリップは薬の袋を数枚束ねることが可能となっており、複数の薬の管理（誤飲防止、飲み忘れ防止）も可能とする。
【産業上の利用可能性】
【００１０】医療の分野、また日常的に行う行動や業務のチェックにも利用できる。
【符号の説明】
【００１１】１  本体表パーツ
２  本体裏パーツ
３  スイッチ（朝）
４  スイッチ（昼）
５  スイッチ（夜）
６  スイッチ３、４、５を固定するパーツ
７  クリップ
【図１】
2015097776.tif 000003
【図２】
2015097776.tif 000004
【図３】
2015097776.tif 000005
【図４】
2015097776.tif 000006
【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
表面Aの1の右側に搭載されている３つのスイッチ（3）、（4）、（5）は、朝、昼、夜をそれぞれ指しており、上下に上げ下げ（on/off切替）することで薬を飲んだ、飲んでないかを視覚で確認することができるものである。裏面（B）の（2）に接着している（7）のクリップは薬の袋を数枚束ねることが可能となっており、複数の薬の管理（誤飲防止、飲み忘れ防止等）も可能とする誤飲、飲み忘れ防止用品。
【請求項２】
クリップなどの留め具を搭載しない請求項１の誤飲、飲み忘れ防止用品。 
【請求項３】
マグネットを搭載した請求項１の誤飲、飲み忘れ防止用品。
【請求項４】
報知手段を搭載した請求項１の誤飲、飲み忘れ防止用品。
※報知手段とはランプやブザー音のことである。
【請求項５】
医療の分野だけでなく、ペットの餌、薬当番、共有物の管理など日常的に行う行動や業務のチェックを目的とした請求項１の誤飲、飲み忘れ防止用品。
【請求項６】
パーツのデザインや大きさが異なる請求項１の誤飲、飲み忘れ防止用品。
【請求項７】
バンドやベルトのようなクリップ以外の留め具を使用した請求項１の誤飲、飲み忘れ防止用品。
【請求項８】
点字を使用した請求項１の誤飲、飲み忘れ防止用品。
【請求項９】
時計機能を搭載した請求項１の誤飲、飲み忘れ防止用品。
【手続補正２】
【補正対象書類名】明細書
【補正対象項目名】全文
【補正方法】変更
【補正の内容】
【発明の詳細な説明】
【技術分野】
【０００１】
本発明は、薬の袋に挟むなどして装着し、朝、昼、夜の食後の薬を摂取した際にスイッチを入れることで摂取したことを視覚で確認が可能となり、飲み忘れ、誤飲を防ぐことができるものである。
※ブザーを搭載した場合は聴覚で、点字を使った場合は触覚での確認も可能。
【背景技術】
【０００２】
従来の飲み忘れ、誤飲防止用品では、病院内で他者の力を借りることで有効に機能するものや、薬を１つずつ分けてケースに入れるといった病人や高齢者には手間がかかり、個人では防ぐことが容易ではなかった。
【先行技術文献】
【特許文献】
【０００３】
【特許文献１】特開2008-217743
【特許文献２】特開2009-208831
【特許文献３】特開2013-220240
【特許文献４】特開2013-179968
【特許文献５】特開2011-041663
【特許文献６】特開2010-113318
【非特許文献１】実願２００５−１３５４
【発明の概要】
【発明が解決しようとする課題】
【０００４】
病人や高齢者の患者さんの薬の飲み忘れ、誤飲が多く、それを防ぐ従来の製品では手間がかかり、個人では防ぐことが容易ではなかった。
【課題を解決するための手段】
【０００５】
図１の表面Aの３つのスイッチ3、4、5を薬を摂取した際に上に上げるだけで簡単に１日の飲み忘れ、誤飲を確認することができる。一日の終わり、または翌日の朝にスイッチ3、4、5をすべて戻す。
【発明の効果】
【０００６】
図１の表面Aの３つのスイッチ3、4、5を上下に上げ下げ（on/off切替）するだけで簡単に１日の飲み忘れ、誤飲を確認することができるので飲み忘れ、誤飲がなくなった。また、裏面にマグネットを搭載することで冷蔵庫などの目のつきやすい場所にも貼ることができ、ブザー音やランプのような報知手段によるお知らせ機能を搭載することで、より防止効果は上がる。点字を使用した場合には視覚障害者の方にも有効である。
【図面の簡単な説明】
【０００７】
【図１】本発明の表と裏の平面図である。
【図２】本発明の側面方向からの断面図である。
【図３】本発明に報知手段を搭載した応用例の表と裏の平面図である。
【図４】本発明に報知手段を搭載した応用例の使用例である。
【発明を実施するための形態】
【０００８】
本発明は、朝、昼、夜の食後の薬を摂取した際にスイッチを上に上げることで摂取したことを視覚で確認することができ、飲み忘れ、誤飲を防ぐことができるものである。
【０００９】
図１では表と裏面の大まかな構造を説明する。表面Aの１の右側に搭載されている３つのスイッチ3、4、5はそれぞれ朝、昼、夜、を指しており、上下に上げ下げ（on/off切替）することで薬を飲んだか、飲んでいないかを確認できるものとなっている。
【００１０】
裏面Bの２に接着している7のクリップは薬の袋を数枚束ねてまとめることが可能となっており、複数の薬の管理が可能となる。（図４は応用例であるが、同じように薬の袋をとめている様子である。）
※クリップ以外にもベルトやバンドのような留め具での代用も可能とする。
【００１１】
また、裏面にマグネットを搭載することで冷蔵庫など目のつきやすい場所にも貼ることもでき、応用例である図３のようにブザー音やランプのような報知手段によるお知らせ機能を搭載することで、より防止効果は上がる。点字を使用した場合には視覚障害者の方にも有効である。
【００１２】
このように、スイッチを上下にon/off切り替えすることで摂取したか摂取していないかを本人以外の人も視覚で確認が可能となる。高齢者の方はデジタル機器での操作は難しいため、このようにアナログな操作でのサポートが有効とされるのである。
【実施例】
【００１３】
表面Aの右側に搭載されている３つのスイッチ（on/off切替）は、朝昼夜を指しており、上下に上げ下げ（on/off切替）することで薬を飲んだ、飲んでいないかを視覚で確認することができるものである。裏面Bの2に接着している7のクリップは薬の袋を数枚束ねることが可能となっており、複数の薬の管理（誤飲防止、飲み忘れ防止）も可能とする。
【産業上の利用可能性】
【００１４】
医療の分野、ペットの餌、薬当番、共有物の管理など日常的に行う行動や業務のチェックにも利用できる。
【符号の説明】
【００１５】
１  本体表パーツ
２  本体裏パーツ
３  スイッチ（朝）
４  スイッチ（昼）
５  スイッチ（夜）
６  スイッチ3、4、5を固定するパーツ
７  クリップ